(57)【要約】【課題】  良好な寝心地が得られるフローティングベッドシステムを提供する。【解決手段】  水が入れられた本体と、本体内に収納される空気袋と、使用者が装着するウェットスーツと、使用者が装着するマスクとを備え、マスクが、使用者の口部を被覆するマスク本体と、マスク本体内に空気を供給する吸気ホースと、マスク本体内から呼気を排出する呼気ホースと、吸気ホースにおいて吸気の逆流を阻止するための第１弁と、呼気ホースにおいて呼気の逆流を阻止するための第２弁とを有しており、使用者が空気袋上に身体を横たえ、空気袋及びウェットスーツ内の空気を排気することにより、使用者の身体を本体内の水中に保持するように構成されていることを特徴とするフローティングベッドシステムが提供される。【選択図】  図１
2009018156.tif 000002
【特許請求の範囲】
【請求項１】
水が入れられた本体と、
前記本体内に収納される空気袋と、
使用者が装着するウェットスーツと、
使用者が装着するマスクとを備え、前記マスクが、使用者の口部を被覆するマスク本体と、前記マスク本体内に空気を供給する吸気ホースと、前記マスク本体内から呼気を排出する呼気ホースと、前記吸気ホースにおいて吸気の逆流を阻止するための第１弁と、前記呼気ホースにおいて呼気の逆流を阻止するための第２弁とを有しており、
使用者が前記空気袋上に身体を横たえ、前記空気袋及び前記ウェットスーツ内の空気を排気することにより、使用者の身体を前記本体内の水中に保持するように構成されていることを特徴とするフローティングベッドシステム。
【請求項２】
前記本体内の水を加温するためのヒータを更に備えていることを特徴とする請求項１に記載のフローティングベッドシステム。
【請求項３】
前記空気袋の上面に配置される床板を更に備えていることを特徴とする請求項１又は２に記載のフローティングベッドシステム。
【請求項４】
前記本体内の水の温度を調整するための水温調整装置を更に備え、前記水温調整装置が、使用者の体温を検知する体温検知センサと、前記本体内の水の温度を検知する水温検知センサと、前記体温検知センサから得られる体温データと前記水温検知センサから得られる水温データとの温度差を計算し、温度差が予め設定した値以上である場合には前記ヒータに作動信号を送り、温度差が予め設定した値以下である場合には前記ヒータに作動停止信号を送る制御ユニットとを有していることを特徴とする請求項１から請求項３までのいずれか１項に記載のフローティングベッドシステム。
【発明の詳細な説明】
【技術分野】
【０００１】
本発明は一般に、ベッドに関する。より詳細には、本発明は、使用者に良好な寝心地を提供するフローティングベッドシステムに関する。
【背景技術】
【０００２】
好適な寝心地を提供する種々の寝具やベッドが提案され、市販されている。
【発明の開示】
【発明が解決しようとする課題】
【０００３】
しかしながら、従来のベッドでは、室温と体温のバランスを専ら寝具の熱保持力に依存しているため、就寝時に理想的な体温を保持するのが容易でなかった。また、横臥時と仰臥時で頭部と枕の位置関係が変わるため、寝返りの度毎に違和感を生じさせ、熟睡の妨げとなっていた。さらに、特に横臥時においては、自身の体重により肩や腰部などが圧迫されて、関節痛やしびれを生じさせることがあった。
【０００４】
このように、従来の寝具やベッドは種々の不都合を包含しており、満足すべきものが見当たらないのが現状である。本発明は、このような事情に鑑みて案出されたものであって、良好な寝心地を提供するフローティングベッドシステムを提供することを目的としている。
【課題を解決するための手段】
【０００５】
本願請求項１に記載のフローティングベッドシステムは、水が入れられた本体と、前記本体内に収納される空気袋と、使用者が装着するウェットスーツと、使用者が装着するマスクとを備え、前記マスクが、使用者の口部を被覆するマスク本体と、前記マスク本体内に空気を供給する吸気ホースと、前記マスク本体内から呼気を排出する呼気ホースと、前記吸気ホースにおいて吸気の逆流を阻止するための第１弁と、前記呼気ホースにおいて呼気の逆流を阻止するための第２弁とを有しており、使用者が前記空気袋上に身体を横たえ、前記空気袋及び前記ウェットスーツ内の空気を排気することにより、使用者の身体を前記本体内の水中に保持するように構成されていることを特徴とするものである。
【０００６】
本願請求項２に記載のフローティングベッドシステムは、前記請求項１のシステムにおいて、前記本体内の水を加温するためのヒータを更に備えていることを特徴とするものである。
【０００７】
本願請求項３に記載のフローティングベッドシステムは、前記請求項１又は２のシステムにおいて、前記空気袋の上面に配置される床板を更に備えていることを特徴とするものである。
【０００８】
本願請求項４に記載のフローティングベッドシステムは、前記請求項１から請求項３までのいずれか１項のシステムにおいて、前記本体内の水の温度を調整するための水温調整装置を更に備え、前記水温調整装置が、使用者の体温を検知する体温検知センサと、前記本体内の水の温度を検知する水温検知センサと、前記体温検知センサから得られる体温データと前記水温検知センサから得られる水温データとの温度差を計算し、温度差が予め設定した値以上である場合には前記ヒータに作動信号を送り、温度差が予め設定した値以下である場合には前記ヒータに作動停止信号を送る制御ユニットとを有していることを特徴とするものである。
【発明の効果】
【０００９】
本発明のフローティングベッドシステムによれば、使用者の身体を水中に安定的に保持することができるので、快適な寝心地を提供することができる。また、マスクを備えているので、フローティングベッドシステムの使用時にも十分な呼吸を確保することができる。さらに、水温調整装置を備えることにより、体温に合わせた水温の調整をすることができるので、寝冷えや暑さによる寝苦しさから使用者を解放することができ、快適な睡眠環境を提供することが可能になる。
【発明を実施するための最良の形態】
【００１０】
次に図面を参照して、本発明の好ましい実施の形態に係るフローティングベッドシステムについて詳細に説明する。図１は、本発明の好ましい実施の形態に係るフローティングベッドシステムの全体を模式的に示した分解斜視図である。図１において全体として参照符号１０で示される本発明の本発明の好ましい実施の形態に係るフローティングベッドシステムは、水が入れられる本体１２と、本体１２内に収納される空気袋１４と、空気袋１４の上面に配置される床板１６とを備えている。
【００１１】
本体１２は、上方が開放した箱形の形状を有し、適当な合成樹脂材料で形成されている。空気袋１４は、柔軟な合成樹脂材料で形成されており、コンプレッサ（図示せず）から空気供給チューブ１４ａを介して空気袋１４内に空気が供給され、排気チューブ１４ｂを介して空気袋１４から排気されるようになっている。床板１６は、空気袋１４とほぼ同じ大きさを有しており、硬質プラスチックなどの適当な合成樹脂材料で形成されている。
【００１２】
フローティングベッドシステム１０は又、ベッド使用者が装着するウェットスーツ１８を備えている。ウェットスーツ１８は、ナイロンやビニールの他、例えばゴアテックス（登録商標）のような柔軟な合成樹脂材料で形成されており、防水ファスナ１８ａを開けて装着するようになっている（使用者の呼吸の不具合などの緊急事態が発生する場合もあることを考慮して、防水ファスナ１８ａにある程度の力を加えるとどこからでも開けることができるような型式のファスナ（例えば、市販のレールファスナ）を使用してもよい）。また、ウェットスーツ１８の手足部分からそれぞれ延びたチューブ１８ｂがチューブ１４ｃに合流しており、空気供給チューブ１４ａとチューブ１４ｃがバイパスチューブ１４ｄを介して接続され、排気チューブ１４ｂとチューブ１４ｃがバイパスチューブ１４ｅを介して接続されている。これにより、ウェットスーツ１８内への吸排気が行われるようになっている。なお、ウェットスーツ１８の手部分は、５本の指を独立して使用することができるように別個に作成されている。
【００１３】
フローティングベッドシステム１０は又、ベッド使用者が装着するマスク２０を備えている。マスク２０は、ベッド使用者の口部に被覆するマスク本体２０ａと、マスク本体２０ａに連結され、マスク本体２０ａ内に空気を供給する吸気ホース２０ｂと、マスク本体２０ａに連結され、マスク本体２０ａ内から呼気を排出する呼気ホース２０ｃとを有している。吸気ホース２０ｂとマスク本体２０ａとの連結箇所には、マスク本体２０ａ内に流入する吸気の逆流を阻止するための第１弁２０ｄが設けられており、呼気ホース２０ｃとマスク本体２０ａとの連結箇所には、マスク本体２０ａ内から流出する呼気の逆流を阻止するための第２弁２０ｅが設けられている。なお、マスク２０はウェットスーツ１８と一体に形成するのが好ましい。
【００１４】
図３を参照して、第１弁２０ｄおよび第２弁２０ｅについて詳細に説明する。マスク本体２０ａは好ましくは、シリコン樹脂で形成されている。吸気ホース２０ｂとマスク本体２０ａとの連結箇所は、マスク２０の装着時に使用者の鼻部に隣接する箇所に設けるのが好ましく、呼気ホース２０ｃとマスク本体２０ａとの連結箇所は、マスク２０の装着時に使用者の口部に隣接する箇所に設けるのが好ましい（図３（ａ）参照）。第１弁２０ｄ、第２弁２０ｅは、ストッパ兼用の硬質プラスチック製のフレーム２０ｄ１、２０ｅ１に、厚さが０．１ｍｍ〜０．３ｍｍのプラスチック板２０ｄ２、２０ｅ２の一部を（例えば、人体に無害なプラスチック用接着剤を用いて）それぞれ取り付けることによって形成されている。その際、逆流防止のために、第１弁２０ｄは、プラスチック板２０ｄ２がマスク本体２０ａの内部の方にのみ開くように（図３（ｃ）参照）、第２弁２０ｅは、プラスチック板２０ｅ２がマスク本体２０ａの外部の方にのみ開くように（図３（ｅ）参照）取り付けられる。
【００１５】
なお、フレーム２０ｄ１、２０ｅ１にプラスチック板２０ｄ２、２０ｅ２が接したときに水分で吸着してプラスチック板２０ｄ２、２０ｅ２がフレーム２０ｄ１、２０ｅ１にくっつくことにより、音が出たり呼吸の抵抗が増加したりすることが起こりえるが、このような事態の発生を防止するため、フレーム２０ｄ１、２０ｅ１に撥水性樹脂を塗布したり、フレーム２０ｄ１、２０ｅ１やプラスチック板２０ｄ２、２０ｅ２に弗素樹脂などを練り込んで成形する等の措置を講ずるのが好ましい。或いは、上述のような事態の発生を回避する他の適当な措置を施してもよい。
【００１６】
吸気ホース２０ｂと呼気ホース２０ｃは、本体１２の側面に配置されたボックス２２に設けられる吸気口２２ａと呼気口２２ｂに連結されている（図１参照）。なお、吸気ホース２０ｂと呼気ホース２０ｃは、使用者が動いても潰れにくい材料で形成するのが好ましい。また、吸気ホース２０ｂと呼気ホース２０ｃは好ましくは、ウェットスーツ１８の着脱時や使用者の起立時などに支障のない長さを有している。
【００１７】
フローティングベッドシステム１０は更に、本体１２内の水を加温するためのヒータ２４を備えている。ヒータ２４は、本体１２の適当な箇所（例えば、側壁、底壁など）に配置されており、本体１２内の水を適当な温度に加温するようになっている。なお、ヒータ２４は、普通の型式のものを使用してよい。
【００１８】
好ましくは、フローティングベッドシステム１０は、水温調整装置２６を備えている。水温調整装置２６は、ベッド使用者の体温ｔ1 を検知する体温検知センサ２６ａと、本体１２内の水温ｔ2 を検知する水温検知センサ２６ｂと、体温検知センサ２６ａから得られる体温データと水温検知センサ２６ｂから得られる水温データとの温度差Δｔ（＝｜ｔ1−ｔ2 ｜）を計算し、温度差Δｔが予め設定した値α以上である場合（Δｔ＞α）にはヒータ２４に作動信号を送り、温度差Δｔが予め設定した値α以下になる場合（Δｔ≦α）にはヒータ２４に作動停止信号を送る制御ユニット２６ｃとを有している。なお、体温検知センサ２６ａと制御ユニット２６ｃ、水温検知センサ２６ｂと制御ユニット２６ｃ、及び制御ユニット２６ｃとヒータ２４は、コード２６ｄ、コード２６ｅ、コード２６ｆでそれぞれ接続されている。
【００１９】
以上のように構成されたフローティングベッドシステム１０の作動について説明する。フローティングベッドシステム１０の使用に先立って、本体１２内に水を入れ、使用者にとって適当な温度になるように加温しておく。また、適量の空気を入れた空気袋１４を本体１２内に設置し、空気袋１４上に床板１６を載せておく（図５（ａ）参照）。次いで、使用者は、ウェットスーツ１８を装着し、床板１６上に身体を横たえる（図５（ｂ）参照）。しかる後、排気チューブ１４ｂ（及びウェットスーツ１８から延びた排気チューブ１８ｂ）を介して、空気袋１４内の空気を徐々に排気する。すると、空気袋１４は次第に沈降し、それにつれて使用者の身体も水中に沈降する（図５（ｃ）参照）。その際、ウェットスーツ１８内の空気も排気するので、使用者を円滑に沈降させることができる。睡眠時には、使用者自体の浮力により水中で安定的に身体が保持される（図５（ｄ）参照）。使用後は、空気袋１４に空気を供給して空気袋１４を浮上させることにより（図５（ｅ）参照）、使用者はベッドから容易に離脱することができる。
【００２０】
水温調整装置２６を備えている場合には、水中に沈降した使用者の体温と水温との温度差を計算し、温度差が設定値以上であればヒータ２４を作動させ、設定値以下になるとヒータ２４の作動を停止させることにより、常時快適な水温を保持することができる。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
図示されている本体１２や空気袋１４、床板１６等の形状は例示的なものであり、これらに限定されるものではない。また、床板１６は、主として使用者が空気袋１４に乗ったり空気袋１４から離脱したりするのを容易にするためのものであり、これを省略してもよい。なお、フローティングベッドシステム１０の使用時に使用者の頭部が水没するが、使用者がマスク２０を装着しているので、使用者の呼吸に支障が生ずることはない。
【図面の簡単な説明】
【００２３】
【図１】本発明の好ましい実施の形態に係るフローティングベッドシステムの全体を模式的に示した分解斜視図である。
【図２】マスク及びウェットスーツを装着した使用者が仰臥している状態を示した図である。
【図３】図３（ａ）はマスクの拡大斜視図、図３（ｂ）はマスク本体と吸気ホースとの連結箇所を示した断面図、図３（ｃ）は第１弁を示した図、図３（ｄ）は図３（ｃ）の線３ｄ−３ｄに沿って見た図、図３（ｅ）は第２弁を示した図である。
【図４】水温調整装置を説明するための模式図である。
【図５】本発明のフローティングベッドシステムの使用方法を説明するための一連の図である。
【符号の説明】
【００２４】
１０  フローティングベッドシステム
１２  本体
１４  空気袋
１６  床板
１８  ウェットスーツ
２０  マスク
２０ａ  マスク本体
２０ｂ  吸気ホース
２０ｃ  呼気ホース
２０ｄ、２０ｅ  弁
２２  ボックス
２４  ヒータ
２６  水温調整装置
２６ａ  体温検知センサ
２６ｂ  水温検知センサ
２６ｃ  制御ユニット
２６ｄ、２６ｅ、２６ｆ  コード
【図１】
2009018156.tif 000003
【図２】
2009018156.tif 000004
【図３】
2009018156.tif 000005
【図４】
2009018156.tif 000006
【図５】
2009018156.tif 000007